(57)【要約】【課題】ループアンテナが破壊することを回避して、ループアンテナを携帯電話に取り付ける。【解決手段】第一本体３０を接続軸１０を中心に回転させても、ループアンテナ２０を著しく変形させないですむ。よって、ループアンテナ２０の破壊を回避して、ループアンテナ２０を収容できる。しかも、ループアンテナ２０を接続軸１０に巻きつけているため、ループアンテナ２０を収容する領域と、接続軸１０を収容する領域とをほぼ共用できる。よって、ループアンテナ２０を収容するためだけの専用スペースを確保する必要がなくなる。さらに、ループアンテナ２０の直径が接続軸１０の直径とほぼ等しくなるため、ループアンテナ２０の直径を大きくできる。よって、ループアンテナ２０内に電界を通し易い。これは、ＲＦ信号を受信する場合に有利である。【選択図】　図１
2004096622.tif 000002
【特許請求の範囲】
【請求項１】
第一本体と、
第二本体と、
前記第一本体と前記第二本体とを接続する接続軸と、
前記接続軸の近傍に配置されたループアンテナと、
を備え、
前記第一本体および前記第二本体の内の一つ以上は前記接続軸を中心に回転可能である、
携帯情報通信端末。
【請求項２】
請求項１に記載の携帯情報通信端末であって、
前記接続軸の延伸方向と前記ループアンテナの回転中心軸の方向とはほぼ一致している携帯情報通信端末。
【請求項３】
請求項２に記載の携帯情報通信端末であって、
前記接続軸に前記ループアンテナが巻きついている携帯情報通信端末。
【請求項４】
請求項２に記載の携帯情報通信端末であって、
前記接続軸の内部に前記ループアンテナが配置されている携帯情報通信端末。
【請求項５】
請求項１ないし４のいずれか一項に記載の携帯情報通信端末であって、
前記ループアンテナは電磁誘導に用いられる携帯情報通信端末。
【請求項６】
請求項１ないし５のいずれか一項に記載の携帯情報通信端末であって、
前記第一本体または前記第二本体を前記接続軸を中心に回転した場合に、回転したものの表裏関係が一定に保たれる携帯情報通信端末。
【発明の詳細な説明】
【０００１】
【発明の属する技術分野】
本発明は、携帯通信端末におけるループアンテナの配置に関する。
【０００２】
【従来の技術】
従来より、携帯電話等の携帯情報通信端末において、アンテナを取り付けることが広く行われている。アンテナを取り付けるためには、専用のスペースを確保する必要がある。アンテナを取り付けるスペースを確保するために、ストリップラインアンテナのような薄く柔らかいアンテナをヒンジをまたいで取り付けることもある（例えば、特許文献１参照）。
【０００３】
【特許文献１】
特開平１０−３０８６１８号公報（図１）
【発明が解決しようとする課題】
しかしながら、従来技術に記載の方法は、ループアンテナを携帯電話等に取り付けようとした場合には問題がある。ヒンジをまたいでループアンテナを取り付ければ、携帯電話等をヒンジを折り目として折り畳もうとした時にループアンテナが破壊しかねないからである。ループアンテナはループの巻き回数と周回面積を確保する必要があるため、ストリップラインアンテナのように薄く柔らかくしにくい。
【０００４】
このように、ループアンテナを携帯電話に取り付けることは困難である。しかも、携帯電話の小型化が進んでいるので、困難さが増大している。
【０００５】
そこで、本発明は、ループアンテナが破壊することを回避して、ループアンテナを携帯電話に取り付けることを課題とする。
【０００６】
【課題を解決するための手段】
本発明は携帯情報通信端末に関する。本発明に係る携帯情報通信端末は、第一本体、第二本体、接続軸およびループアンテナを備える。
【０００７】
接続軸は、第一本体と第二本体とを接続する。ループアンテナは、接続軸の近傍に配置されている。ここで、第一本体および第二本体の内の一つ以上は接続軸を中心に回転可能である。
【０００８】
さらに、本発明に係る携帯情報通信端末は、接続軸の延伸方向とループアンテナの回転中心軸の方向とはほぼ一致していることが好ましい。
【０００９】
上記のように構成された発明によれば、第一本体および第二本体の内の一つ以上を接続軸を中心に回転させても、ループアンテナを著しく変形させないですむ。よって、ループアンテナの破壊を回避して、ループアンテナを収容できる。
【００１０】
さらに、本発明に係る携帯情報通信端末は、接続軸にループアンテナが巻きついていることが好ましい。
【００１１】
上記のように構成された発明によれば、ループアンテナを収容する領域と、接続軸を収容する領域とをほぼ共用できるため、ループアンテナを収容するためだけの専用スペースを確保する必要がなくなる。
【００１２】
さらに、本発明に係る携帯情報通信端末は、接続軸の内部にループアンテナを配置するようにしてもよい。
【００１３】
上記のように構成された発明によっても、ループアンテナを収容する領域と、接続軸を収容する領域とをほぼ共用できるため、ループアンテナを収容するためだけの専用スペースを確保する必要がなくなる。
【００１４】
【発明の実施の形態】
以下、本発明の実施の形態を図面を参照して説明する。
【００１５】
第一の実施形態
図１は、本発明の第一の実施形態にかかる携帯電話１の平面図（図１（ａ））、側面断面図（図１（ｂ））である。
【００１６】
携帯電話１は、接続軸１０、ループアンテナ２０、第一本体３０、第二本体４０を備える。
【００１７】
接続軸１０は、第一本体３０および第二本体４０を接続する軸である。第一本体３０は、接続軸１０を中心として矢印（図１（ａ）参照）の方向に回転することができる。なお、第二本体４０も接続軸１０を中心として回転することができる。なお、接続軸１０は第一本体３０および第二本体４０を上下にほぼ貫通している。また、接続軸１０は金属を用いないことが好ましい。
【００１８】
ループアンテナ２０の形状を図２を参照して説明する。図２（ａ）は、ループアンテナ２０の平面図である。図２（ａ）に示すように、上から見ると、ループアンテナ２０は、仮想的な（実際には存在しない）回転中心軸２２を中心とした円を描いている。図２（ｂ）は、ループアンテナ２０の側面図である。図２（ｂ）に示すように、横から見ると、ループアンテナ２０は、仮想的な回転中心軸２２の方向に伸びている。すなわち、ループアンテナ２０は、回転中心軸２２を中心とした円を描きながら、回転中心軸２２の方向に伸びている。
【００１９】
図１に戻り、ループアンテナ２０は、らせん状のアンテナであり、接続軸１０に巻きついている。よって、ループアンテナ２０の回転中心軸２２は、接続軸１０の延伸方向と一致している。なお、ループアンテナ２０は、電磁誘導に用いられることがある。また、ループアンテナ２０は、通常近距離でのＲＦ受信を目的としており、送信機に近づけると電波を受信する。
【００２０】
第一本体３０は、液晶等により構成される表示部３２を表面に有する筐体である。第二本体４０は、操作キー４２を表面に有する筐体である。なお、第一本体３０を、接続軸１０を中心として回転すると、図３に示すような中間的な状態を経て、図４に示すように折り畳まれる。ここで、表示部３２は、第一本体３０の表側の面にあり続ける。すなわち、回転した第一本体３０の表裏関係（表側に表示部３２がある）は一定に保たれる。
【００２１】
次に、第一の実施形態の動作を説明する。
【００２２】
まず、図１のように携帯電話１を開いて使用する。そして、第一本体３０を、接続軸１０を中心として回転させ、図３に示すような中間的な状態を経て、図４に示すように折り畳む。このとき、ループアンテナ２０を変形させるような力はほとんど働かないので、ループアンテナ２０が破壊するようなことはない。
【００２３】
第一の実施形態によれば、第一本体３０および第二本体４０の内の一つ以上を接続軸１０を中心に回転させても、ループアンテナ２０を著しく変形させないですむ。よって、ループアンテナ２０の破壊を回避して、ループアンテナ２０を収容できる。
【００２４】
しかも、ループアンテナ２０を接続軸１０に巻きつけているため、ループアンテナ２０を収容する領域と、接続軸１０を収容する領域とをほぼ共用できる。よって、ループアンテナ２０を収容するためだけの専用スペースを確保する必要がなくなる。さらに、ループアンテナ２０の直径が接続軸１０の直径とほぼ等しくなるため、ループアンテナ２０の直径を大きくできる。よって、ループアンテナ２０内に電界を通し易い。これは、ＲＦ信号を受信する場合に有利である。
【００２５】
さらに、接続軸１０は金属を用いないので、ループアンテナ２０が携帯電話１のシールド材の影響を受けることを防止できる。よって、ループアンテナ２０を通る電界を効率良く電力変換できる。
【００２６】
さらに、第一本体３０および第二本体４０を上下にほぼ貫通する接続軸１０にループアンテナ２０を巻き付ける構造のため、第二本体４０内の基板（図示省略）に接続しやすい。例えば、ループアンテナ２０を予め、らせん状に整形しておき第一本体３０に取り付けておく。接続軸１０は予め第二本体４０に取り付けておく。ここで、図５（ａ）に示すように、ループアンテナ２０を接続軸１０の真上にくるように、第一本体３０および第二本体４０を配置してから、第一本体３０を第二本体４０に向けて矢印方向に落とす。すると、図５（ｂ）に示すように、ループアンテナ２０が第二本体４０内の基板に接続される。このように、第一本体３０および第二本体４０の位置をあわせてから、第一本体３０を落とすだけという容易な工程で、ループアンテナ２０を第二本体４０内の基板に接続できる。
【００２７】
ここで、接続軸１０を中空にしておき、ループアンテナ２０を接続軸１０の内部に配置してもよい。図６は、接続軸１０の内部に配置されたループアンテナ２０の平面図（図６（ａ））、側面図（図６（ｂ））である。図６（ａ）を参照して、ループアンテナ２０を上から見ると、中空の接続軸１０の内部で円を描く。そして、図６（ｂ）を参照して、ループアンテナ２０を横から見ると、中空の接続軸１０の内部で、接続軸１０の延伸方向に伸びている。図５のような変形例によっても同等の効果を奏する。
【００２８】
第二の実施形態
第二の実施形態は、第一の実施形態と携帯電話１の折り畳みの形態が相違する。
【００２９】
図７は、本発明の第二の実施形態にかかる携帯電話１の平面図（図７（ａ））、側面図（図７（ｂ））である。
【００３０】
携帯電話１は、接続軸１０、ループアンテナ２０、第一本体３０、第二本体４０を備える。以下、第一の実施形態と同様な部分は同一の番号を付して説明を省略する。
【００３１】
接続軸１０およびループアンテナ２０は第一の実施形態と同様である。
【００３２】
第一本体３０は、表示部３２、ヒンジ部３４を有する。表示部３２は第一の実施形態と同様である。ヒンジ部３４は、第一本体３０の端部から高さを変えないで突出している。
【００３３】
第二本体４０は、操作キー４２、ヒンジ部４４、４４を有する。操作キー４２は第一の実施形態と同様である。ヒンジ部４４、４４は、第二本体４０の端部において上方に突出している。ヒンジ部４４、４４は、ヒンジ部３４を挟むようにして、接続軸１０により接続される（図７（ａ）参照）。なお、図７（ａ）においては、図示の便宜上、ループアンテナ２０は図示省略している。
【００３４】
第一本体３０は、接続軸１０を中心として矢印方向（図７（ｂ）参照）に回転できる。このような構造の場合、携帯電話１を折り畳む前は、表示部３２は第一本体３０の表側にある。しかし、携帯電話１を折り畳むと、表示部３２は第一本体３０の裏側にあることになる。すなわち、回転した第一本体３０の表裏関係は一定に保たれない。
【００３５】
次に、第二の実施形態の動作を説明する。
【００３６】
まず、図７のように携帯電話１を開いて使用する。そして、第一本体３０を、接続軸１０を中心として回転させ、表示部３２と操作キー４２とが向かい合わせになるようにして折り畳む。このとき、ループアンテナ２０を変形させるような力はほとんど働かないので、ループアンテナ２０が破壊するようなことはない。
【００３７】
第二の実施形態によっても、第一の実施形態と同様な効果を奏する。
【図面の簡単な説明】
【図１】本発明の第一の実施形態にかかる携帯電話１の平面図（図１（ａ））、側面断面図（図１（ｂ））である。
【図２】ループアンテナ２０の形状を示す図であり、ループアンテナ２０の平面図（図２（ａ））、側面図（図２（ｂ））である。
【図３】携帯電話１の折り畳みの中間状態を示す平面図である。
【図４】携帯電話１の折り畳んだ状態を示す平面図である。
【図５】ループアンテナ２０を第二本体４０内の基板に接続する工程を示す図であり、接続前（図５（ａ））、接続後（図５（ｂ））を示す。
【図６】接続軸１０の内部に配置されたループアンテナ２０の平面図（図６（ａ））、側面図（図６（ｂ））である。
【図７】本発明の第二の実施形態にかかる携帯電話１の平面図（図７（ａ））、側面図（図７（ｂ））である。
【符号の説明】
１　携帯電話
１０　接続軸
２０　ループアンテナ
３０　第一本体
４０　第二本体
【図１】
2004096622.tif 000003
【図２】
2004096622.tif 000004
【図３】
2004096622.tif 000005
【図４】
2004096622.tif 000006
【図５】
2004096622.tif 000007
【図６】
2004096622.tif 000008
【図７】
2004096622.tif 000009